(57)【要約】【課題】着心地がよい、立体キルト構造を有する防寒衣服を提供する。【解決手段】本発明は、表地２２と裏地２４との間にマチ３２を設けて区画３０を形成し、区画３０の中に充てん材２６を収容した立体キルト構造を有する身頃および袖を備えた防寒衣類であって、袖の裏地２４の袖周り方向の寸法は、袖の表地２２の袖周り方向の寸法に比べて短い。【選択図】図２
2014139352.tif 000002
【特許請求の範囲】
【請求項１】
表地と裏地との間にマチを設けて区画を形成し、前記区画の中に充てん材を収容した立体キルト構造を有する身頃および袖を備えた防寒衣類であって、
前記袖の裏地の袖周り方向の寸法は、前記袖の表地の袖周り方向の寸法に比べて短い、防寒衣類。
【請求項２】
前記袖の立体キルト構造において、
前記マチは帯状の布であり、
前記マチの前記裏地側の部分にタックを形成して前記マチの裏地側の部分は前記裏地に接合される、請求項１に記載の防寒衣類。
【請求項３】
前記タックは、前記マチの少なくとも５箇所に形成される、請求項２に記載の防寒衣類。
【請求項４】
前記タックは、前記マチの少なくとも７箇所に形成される、請求項３に記載の防寒衣類。
【請求項５】
前記袖の立体キルト構造において、
前記マチは円弧状に延びている帯状の布である、請求項１に記載の防寒衣類。
【請求項６】
前記マチは帯状の布であり、
前記マチの幅方向の断面は略Ｕ字状または略Ｚ字状である、請求項１に記載の防寒衣類。
【発明の詳細な説明】
【技術分野】
【０００１】
本発明は、表地と裏地との間に充てん材を備えた防寒衣服に関する。
【背景技術】
【０００２】
表地と裏地との間に羽毛や羽根や中綿などの充てん材を収容した防寒衣類では、充てん材が偏らないようにするために、表地と裏地とを縫い合わせていくつかの区画を形成し、その区画の中に充てん材を収容している。しかし、このような構造では、区画の境界である縫い目において充てん材が存在しないため、この縫い目から熱が放出され、防寒衣類の保温性が損なわれるという問題があった。そこで、保温性を高めるために、表地と裏地との間にマチを設けて区画を形成し、その区画の中に充てん材を収容した立体キルト構造を有するダウンジャケットが従来技術として知られている（たとえば特許文献１）。このダウンジャケットでは、区画の境界においても表地および裏地が充てん材によって離隔されているので、優れた保温性を得ることができるという利点がある。
【先行技術文献】
【特許文献】
【０００３】
【特許文献１】特開２００６−１９２６１３号公報
【発明の概要】
【発明が解決しようとする課題】
【０００４】
特許文献１に記載されたような従来の立体キルト構造を有する防寒衣類では、袖の部分で着用者が防寒衣類から受ける圧迫感が強く、着心地が悪い場合があるという問題があった。
【課題を解決するための手段】
【０００５】
本発明は、上記課題を解決するため、以下の構成を採用した。
すなわち、本発明は、表地と裏地との間にマチを設けて区画を形成し、区画の中に充てん材を収容した立体キルト構造を有する身頃および袖を備えた防寒衣類であって、袖の裏地の袖周り方向の寸法は、袖の表地の袖周り方向の寸法に比べて短い。
【発明の効果】
【０００６】
本発明によれば、着心地がよい、立体キルト構造を有する防寒衣服を提供することができる。
【図面の簡単な説明】
【０００７】
【図１】図１は、本発明の一実施形態におけるダウンジャケットの正面図である。
【図２】図２は、図１に示す本発明の一実施形態におけるダウンジャケットの袖のＡ−Ａ断面を示す図である。
【図３】図３は、図１に示す本発明の一実施形態におけるダウンジャケットの充てん材を除いた袖の分解図である。
【図４】図４は、本発明の一実施形態におけるダウンジャケットの立体キルト構造の形成方法を説明するための図である。
【図５】図５は、本発明の一実施形態におけるダウンジャケットの立体キルト構造の形成方法を説明するための図である。
【図６】図６は、本発明の一実施形態におけるダウンジャケットの立体キルト構造の変形例を説明するための図である。
【図７】図７は、本発明の一実施形態におけるダウンジャケットの立体キルト構造のマチの変形例を説明するための図である。
【発明を実施するための形態】
【０００８】
本発明者は、鋭意検討した結果、立体キルト構造を有するダウンジャケットの袖の部分で着用者がダウンジャケットから受ける圧迫感が強く、着心地が良好でない原因は、袖において表地の大きさと裏地の大きさとが同じであることを見出し、本発明を想到した。以下、図１〜図３を参照して本発明の一実施形態におけるダウンジャケットを説明する。図１は、本発明の一実施形態におけるダウンジャケット１の正面図である。図２は、図１に示す本発明の一実施形態におけるダウンジャケット１の袖２０のＡ−Ａ断面を示す図である。図３は、図１に示す本発明の一実施形態におけるダウンジャケット１の充てん材２６を除いた袖２０の分解図である。
【０００９】
図１に示すように、本発明の一実施形態におけるダウンジャケット１は、身頃１０と、身頃１０の左右にあって、着用者の両腕を覆う一対の袖２０とを備える。ダウンジャケット１の身頃１０および袖２０は立体キルト構造を有する。
【００１０】
図２に示すダウンジャケット１の袖２０のＡ−Ａ断面を例にあげて、ダウンジャケット１の立体キルト構造を説明する。立体キルト構造では、表地２２と裏地２４との間にマチ３２を設けて区画３０が形成される。区画３０の中には充てん材２６が収容される。
【００１１】
表地２２には、たとえば、ナイロン、ポリエステルなどの、比較的軽く、引っ張り強度および摩擦強度が高い合成繊維を用いた生地が用いられる。また、表地の表面を撥水加工してもよい。裏地２４にも、たとえば、ナイロン、ポリエステルなどの、比較的軽く、引っ張り強度および摩擦強度が高い合成繊維を用いた生地が用いられる。
【００１２】
充てん材２６には、たとえば、羽毛（ダウン）、羽根（フェザー）、綿、またはそれらの混合物などが用いられる。とくに、充てん材２６には、羽毛、羽根またはそれらの混合物が好ましい。
【００１３】
マチ３２は、隣接する区画３０を仕切る仕切り布である。マチ３２には、たとえば、表地２２または裏地２４に用いられた布地と同じ布地が用いられる。マチ３２は、好ましくは、帯状の布である。マチ３２は、区画３０の境界３４において、熱可塑性接着剤などの接着剤を用いた接着、縫合などにより、表地２２および裏地２４と接合する。区画３０の境界３４は袖周り方向に延在する。
【００１４】
図３を用いてダウンジャケット１の袖２０をさらに詳細に説明する。図３のＸ方向が袖周り方向に対応し、Ｙ方向が袖丈方向に対応する。袖周り方向Ｘに延びる複数のマチ３２が、所定の間隔で袖丈方向Ｙに並べられて配置される。マチ３２の長さは、表地２２の袖周り方向の寸法に等しく、裏地２４の袖周り方向の寸法よりも長い。
【００１５】
図３の点線２２’は、表地２２の大きさを示している。図３に示すように、裏地２４の袖周り方向Ｘの寸法は、表地２２の袖周り方向Ｘの寸法に比べて短くなっている。これにより、袖２０の部分で着用者がダウンジャケット１から受ける圧迫感が弱まり、ダウンジャケット１の着心地が良好になる。ところで、袖のキルト構造が厚くなると、袖の外径と内径との差が大きくなり、その結果、袖の外周の長さと内周の長さとの差が大きくなる。このため、従来は、表地の大きさと裏地の大きさとが同じであったため、裏地がだぶつき、これにより袖の部分で着用者がダウンジャケットから受ける圧迫感が強かった。しかし、本発明の一実施形態のダウンジャケット１によれば、裏地２４の上述のだぶつきは小さくなるので、ダウンジャケット１から受ける圧迫感が弱くなり、ダウンジャケット１の着心地が良好になる。また、着用したときに立体キルト構造がつぶれてダウンジャケット１の保温性が低下することを抑制できる。
【００１６】
袖２０の裏地２４の袖周り方向Ｘの寸法は、好ましくは、袖２０の表地２２の袖周り方向Ｘの寸法の７５〜９５％であり、より好ましくは袖２０の表地２２の袖周り方向Ｘの寸法の８５〜９０％である。また、袖のキルト構造の厚さがＴである場合、表地２２の袖周り方向Ｘの寸法と裏地２４の袖周り方向Ｘの寸法との間の差は、たとえば、Ｔ×２×πで算出される長さであってもよい。
【００１７】
図２および図３に示すように、マチ３２の幅方向（袖周り方向Ｘに対して垂直な方向）の断面は、好ましくは略Ｕ字状である。これにより、隣接する区画３０の間をマチ３２により確実に塞ぐことができる。
【００１８】
次に、図４および図５を参照して、本発明の一実施形態におけるダウンジャケット１の立体キルト構造の形成方法を説明する。図４および図５は、本発明の一実施形態におけるダウンジャケット１の立体キルト構造の形成方法を説明するための図である。
【００１９】
図４（ａ）に示すように、裏地２４を用意する。図４（ｂ）に示すように、２つに折り曲げられたマチ３２の一方を縫合３６により裏地２４に接合する。なお、接着剤を用いてマチ３２を裏地２４に接合してもよい。
【００２０】
図５を参照して、マチ３２の裏地２４への縫合をさらに詳細に説明する。まず、図５（ａ）に示すように、マチ３２の端側の一部を裏地２４に縫合する（符号３６ａ）。そして、縫合部分３６ａに隣接する、マチ３２における２本の線３８ａに挟まれる部分をつまんでマチ３２の裏地側の部分にタック（図５（ｂ）の符号４２ａ参照）を形成する。次に、図５（ｂ）に示すように、タック４２ａに隣接するマチ３２の一部を裏地２４に縫合する（符号３６ｂ）。そして、縫合部分３６ｂに隣接する、マチ３２における２本の線３８ｂに挟まれる部分をつまんでマチ３２の裏地側の部分にタックを形成する。
【００２１】
マチ３２の一部の裏地２４への縫合３６ａ〜３６ｈと、マチ３２の裏地側の部分のタック４２ａ〜４２ｇの形成とを繰り返して、図５（ｃ）に示すように、マチ３２を裏地２４に縫合する。これにより、裏地２４の袖周り方向Ｘの寸法よりも長いマチ３２において、その裏地側の部分を裏地２４の袖周り方向Ｘの長さに合わせることができる。
【００２２】
タックは、好ましくは、マチ３２の少なくとも５箇所に形成され、より好ましくは、マチ３２の少なくとも７箇所に形成される。これにより、袖２０の環状の形状にマチ３２を容易に合わせることができる。
【００２３】
次に、図４（ｃ）に示すように、２つに折り曲げられたマチ３２の他方を縫合３６により表地２２に接合する。なお、接着剤を用いてマチ３２を表地２２に接合してもよい。これにより、区画３０が形成される。そして、図４（ｄ）に示すように、区画３０の中に、充てん材２６を充てんする。これにより、立体キルト構造が形成される。
【００２４】
以上の本発明の一実施形態によるダウンジャケット１は、次のような作用効果を奏する。
（１）表地２２と裏地２４との間にマチ３２を設けて区画３０を形成し、区画３０の中に充てん材２６を収容した立体キルト構造を有する身頃１０および袖２０を備えたダウンジャケット１であって、袖２０の裏地２４の袖周り方向Ｘの寸法は、袖２０の表地２４の袖周り方向Ｘの寸法に比べて短くなるようにした。これにより、着心地がよい、立体キルト構造を有するダウンジャケット１を提供することができる。
【００２５】
（２）袖２０の立体キルト構造において、マチ３２は帯状の布であり、マチ３２の裏地側の部分にタック４２ａ〜４２ｇを形成してマチ３２の裏地側の部分は裏地２４に接合されるようにした。これにより、裏地２４の袖周り方向Ｘの長さよりも長いマチ３２において、その裏地側の部分を裏地２４の袖周り方向Ｘの寸法に合わせることができる。
【００２６】
（３）タック４２ａ〜４２ｇは、マチ３２の少なくとも５箇所に形成されるようにした。これにより、袖２０の環状の形状にマチ３２を容易に合わせることができる。
【００２７】
（４）タック４２ａ〜４２ｇは、マチ３２の少なくとも７箇所に形成されるようにした。これにより、袖２０の環状の形状にマチ３２をさらに容易に合わせることができる。
【００２８】
（５）マチ３２は帯状の布であり、マチ３２の幅方向の断面は略Ｕ字状であるようにした。これにより、隣接する区画３０の間をマチ３２により確実に塞ぐことができる。
【００２９】
以上の本発明の一実施形態のダウンジャケット１を次のように変形することができる。
（１）本発明は、表地と裏地との間にマチを設けて区画を形成し、区画の中に充てん材を収容した立体キルト構造を有する身頃および袖を備えた防寒衣類であれば、ダウンジャケットに限定されない。
【００３０】
（２）図６（ａ）に示すように、マチ３２Ａの幅方向の断面は略Ｚ字状であってもよい。この場合も、隣接する区画３０の間をマチ３２により確実に塞ぐことができる。
【００３１】
（３）図６（ｂ）に示すように、表地２２とマチ３２との間の接合部４４Ａの位置が、裏地２４とマチ３２との間の接合部３６Ａの位置に対して、袖周り方向Ｘにずれていてもよい。
【００３２】
（４）図７に示すように、裏地２４に接合されるマチ３２Ｂは円弧状に延びている帯状の布であるようにしてもよい。これにより、袖の環状の形状にマチ３２Ｂを容易に合わせることができる。
【００３３】
（５）身頃１０の裏地２４の胴周り方向の寸法は、身頃１０の表地２４の胴周り方向の寸法に比べて短くなるようにしてもよい。これにより、身頃１０の部分で着用者がダウンジャケットから受ける圧迫感が弱くなり、着心地がよい、立体キルト構造を有するダウンジャケット１を提供することができる。また、袖２０の立体キルト構造に用いられるマチ３２と同様に、タックをマチに形成してもよい。さらに、身頃の両側面（脇）の部分のみにおいてタックをマチに形成してもよい。
【００３４】
（６）本発明は、ボトムの防寒衣類にも適用できる。たとえば、立体キルト構造を有するパンツの場合、股下の部分において、裏地の膝周り方向の寸法は、表地の膝周り方向の寸法に比べて短くなるようにしてもよい。また、袖２０の立体キルト構造に用いられるマチ３２と同様に、タックをマチに形成してもよい。
【００３５】
実施形態と変形例の一つ、もしくは複数を組み合わせることは可能である。変形例同士をどのように組み合わせることも可能である。
【００３６】
以上の説明はあくまで一例であり、本発明は上記実施形態の構成になんら限定されるものではない。
【符号の説明】
【００３７】
１    ダウンジャケット
１０    身頃
２０    袖
２２    表地
２４    裏地
２６    充てん材
３０    区画
３２，３２Ａ，３２Ｂ    マチ
４２ａ〜４２ｇ    タック
【図１】
2014139352.tif 000003
【図２】
2014139352.tif 000004
【図３】
2014139352.tif 000005
【図４】
2014139352.tif 000006
【図５】
2014139352.tif 000007
【図６】
2014139352.tif 000008
【図７】
2014139352.tif 000009